(57)【要約】【課題】不正開封を防止したチューブとキャップの係合構造【解決手段】肩部２にラチェット爪４を有するチューブ本体１と、このチューブ本体１の口部３に螺合され、かつラチェット爪４と係合して、一方向にのみ回転が可能なキャップ１１とから構成され、チューブ本体１の肩部２のラチェット爪４は、口部３下側の側面に円周方向に沿って複数形成されると共に、その頂部が、半径方向外側に向かって突出する尖端部を有し、尖端部を挟んで、一辺がなだらかな斜面４ａと、他辺が急な斜面４ｂとから構成され、またキャップ１１は、内部に雌ねじ１２ａが形成された筒体１２と、この筒体１２と複数のブリッジ１５で連結され、内部にラチェット爪１３と係合する、複数の係止爪１３を有するリング１４とから構成されることを特徴とする、不正開封を防止したチューブとキャップの係合構造である。【選択図】　　　　図１
2004123170.tif 000002
【特許請求の範囲】
【請求項１】
肩部にラチェット爪を有するチューブ本体と、該チューブ本体の口部に螺合され、かつ前記ラチェット爪と係合して、一方向にのみ回転が可能なキャップとから構成され、
（ａ）前記チューブ本体の肩部のラチェット爪は、口部下側の側面に円周方向に沿って複数形成されると共に、その頂部が、半径方向外側に向かって突出する尖端部を有し、該尖端部を挟んで、一辺がなだらか斜面と他辺が急な斜面とから形成され、
（ｂ）前記キャップは、内部に雌ねじが形成された筒体と、該筒体と複数のブリッジで連結され、内部に前記ラチェット爪と係合する、複数の係止爪を有するリングとから形成されることを特徴とする、不正開封を防止したチューブとキャップの係合構造。
【発明の詳細な説明】
【０００１】
【発明の属する技術分野】
この発明は、チューブとキャップの係合構造に関し、さらに詳しくは、キャップを開栓方向へ回転させた場合にのみ、キャップとリングがブリッジで切断される、不正開封を防止したチューブとキャップの係合構造に関する。
【０００２】
【従来の技術】
従来、薬、調味料等を収納する各種の容器は、内容物を収納した後、キャップ、蓋等でチューブ、ボトルの口部を閉鎖した後、このキャップ、ボトルを含む容器全体を、樹脂フィルム、アルミニウムの薄板にて包装し、不正な開封を防止していた。しかし、樹脂フィルムやアルミニウムの薄板での容器全体を包装することは、手数を必要とするだけでなく、特別な包装材料を必要とするので、材料費が必要となり製造コストが高くなるという欠点があった。
【０００３】
この発明は、このような従来の課題に着目してなされたもので、キャップの回転操作のみで開封することができ、かつ開封したことが一目瞭然にわかる不正開封を防止したチューブとキャップの係合構造を提供することを目的とする。
【０００４】
【課題を解決するための手段】
この課題を解決するため、請求項１記載の発明に対応する手段は、肩部にラチェット爪を有するチューブ本体と、このチューブ本体の口部に螺合され、かつラチェット爪と係合して、一方向にのみ回転が可能なキャップとから構成され、チューブ本体の肩部のラチェット爪は、口部下側の側面に円周方向に沿って、複数形成されると共に、その頂部が、半径方向外側に向かって突出する尖端部を有し、この尖端部を挟んで、一辺がなだらかな斜面と他辺が急な斜面とから構成され、キャップは、内部に雌ねじが形成された筒体と、この筒体と複数のブリッジで連結され、内部にラチェット爪と係合する、複数の係止爪を有するリングとから構成されることを特徴とする、不正開封を防止したチューブとキャップの係合構造である。
【０００５】
【実施の形態】
図１は、この発明に係る、不正開封を防止したチューブとキャップの全体を示す第１実施の形態を示す図面である。図２及び図３は本発明に係る肩部２の構造を示す拡大正面図である。４はラチェット爪であり、このラチェット爪４の鋭利な尖端部５は、半径方向外側に向けて形成されている。ラチェット爪４は、この鋭利な尖端部５を頂部として、一辺がなだらかな傾斜面４ａと、他方の辺が急な傾斜面４ｂとから形成され、リング１４の係止爪１３と係合した場合に、キャップ１１が一方向のみに回転するラチェット機能を果たす。なお、図２に示す平面図では、１２個のラチェット爪４が形成されているが、個数については任意に決定することができる。
【０００６】
一方、図４及び図５には、上記チューブ本体１の口部３の雄ねじ３ａと螺合し、ラチェット爪４と係合するキャップ１１が開示されている。すなわち、キャップ１１のキャップ本体１２の内側には雌ねじ１２ａが形成されている。またこの雌ねじ１２ａの下方には、図４に示すように、ラチェット４と係合する複数の係止爪１３が、リング１４の内側沿って形成されている。さらに、このリング１４とキャップ本体１２は、複数のブリッジ１５で連結されている（図４に示す実施の形態では４本）である。図４に示す実施の形態は、キャップ１１のキャップ本体１２の天壁１６のほぼ中央部に、鋭利な針体が形成されない、通常のキャップ１１の実施の形態を示している。これに対して図６は、キャップ本体２１の天壁２２のほぼ中央部に、鋭利な針体２３が形成された第２実施の形態を示している。
【０００７】
次に、この発明の作用について説明する。図７は、第１及び第２実施の形態において、ラチェット爪４と係止爪１３が係合している状態を上方向から見た断面図である。キャップ１の上方から下方を見て、矢印（ａ）方向（キャップ１１でチューブを閉鎖する方向）にキャップ１を回転すると、ラチェット爪４と係止爪１３の係合は外れて、キャップ１は自由に回転する。しかし、矢印（ｂ）方向（キャップ１１を開封する方向）にキャップ１を回転しようとする場合、係止爪１３の先端部１３ａは、ラチェット爪４の急な斜面４ｂに当接しているから、キャップ１１は回転しない。この場合、より大きな力で回転した場合、キャップ１１のリング１４とキャップ本体１２を連結しているブリッジ１５が切断される。すなわち、キャップ１１を開封しようとして、矢印（ｂ）方向にキャップ１１を強く回転した場合、ブリッジ１５は切断されるので、図８に示すように、キャップ本体１２と、リング１４とは分離する。そして、リング１４は、チューブ本体１の肩部２に係合したままの状態で残るので、キャップ本体１２はチューブ本体１から分離する。したがって、不正開封した場合は、開封が明確に認識できる。
【０００８】
又、従来のピルファープルーフ・タイプのチューブとキャップを廃棄する場合、キャップから分離したリングは、チューブの口部の外周に嵌合したままの状態で外れないので、チューブ本体１とリング１４の材質が異なる場合、分別廃棄ができない欠点があった。しかし、この発明に係るチューブ本体１及びキャップ１１を廃棄する場合は、リング１４を、口部３から容易に取り外すことができるので、例えば、チューブ本体１が金属チューブで、キャップとリングが樹脂材料で造られている場合には、チューブ本体１からリング１４を外すことにより分別廃棄が可能となる。さらに、この発明に係るキャップ１１のブリッジ１５は、上方向から容易に確認することができるので、ブリッジ１５の切断の有無（不正開封の有無）が、従来のピルファープルーフ・タイプのキャップより明確である。
【０００９】
【発明の効果】
以上説明してきたように、この発明によれば、開封したことが一目瞭然にわかるので、不正開封を完全に防止できる効果を有する。また、シュリンクフィルム等の容器全体を包装する包装材料を必要としないので、製品が安価に製造できる効果を有し、分別破棄の問題も解決されている。
【図面の簡単な説明】
【図１】この発明に係る不正開封を防止したチューブとキャップの係合構造において、第１実施の形態のチューブとキャップを示す全体正面図。
【図２】この発明に係る不正開封を防止したチューブとキャップの係合構造において、第１実施の形態のチューブの肩部を示す平面図。
【図３】この発明に係る不正開封を防止したチューブとキャップの係合構造において、第１実施の形態のチューブの肩部を示す正面図。
【図４】この発明に係る不正開封を防止したチューブとキャップの係合構造において、第１実施の形態を示すキャップを示す平面図。
【図５】この発明に係る不正開封を防止したチューブとキャップの係合構造において、第１実施の形態を示すキャップを示す正面断面図（図４のＡ−Ａ線断面図）。
【図６】この発明に係る不正開封を防止したチューブとキャップの係合構造において、第２実施の形態を示すキャップを示す正面断面図
【図７】この発明に係る不正開封を防止したチューブとキャップの係合構造において、第１及び第２実施の形態における、ラチェット爪と係止爪が係合している状態を示す断面図。
【図８】この発明に係る不正開封を防止したチューブとキャップの係合構造において、キャップ本体とリングとが分離した状態を示す正面図。
【符号の説明】
１　　チューブ本体
２　肩部
３　口部
４　ラチェット爪
４ａ　なだらかな斜面
４ｂ　急な斜面
５　尖端部
１１　キャップ
１２　筒体
１３　係止爪
１４　リング
１５　ブリッジ
【図１】
2004123170.tif 000003
【図２】
2004123170.tif 000004
【図３】
2004123170.tif 000005
【図４】
2004123170.tif 000006
【図５】
2004123170.tif 000007
【図６】
2004123170.tif 000008
【図７】
2004123170.tif 000009
【図８】
2004123170.tif 000010